(57)【要約】  （ａ）ＡＰＩ度が約２０以下の液状粗炭化水素と（ｂ）（ｉ）芳香族含量が少なくとも約１０重量％である１種類以上の炭化水素含有溶媒及び（ｉｉ）芳香族スルホン酸又はその塩、脂肪族スルホン酸及びその塩及びアルキル置換したヒドロキシ芳香族カルボン酸又はその塩からなる群から選択される１種類以上のアスファルテン調節剤を含む少量のブレンドを含む液状粗炭化水素組成物が開示される。ＡＰＩ度が約２０以下の液状粗炭化水素を輸送する方法も開示される。
2014527569.tif 000002
【特許請求の範囲】
【請求項１】
（ａ）ＡＰＩ度が約２０以下の液状粗炭化水素、及び
（ｂ）（ｉ）芳香族含量が少なくとも約１０重量％である１種類以上の炭化水素含有溶媒、及び（ｉｉ）芳香族スルホン酸又はその塩、脂肪族スルホン酸及びその塩及びアルキル置換したヒドロキシ芳香族カルボン酸又はその塩からなる群から選択される１種類以上のアスファルテン調節剤を含む少量のブレンド
を含む、液状粗炭化水素組成物。
【請求項２】
ＡＰＩ度が約２０以下の液状粗炭化水素が、重質原油又は超重質原油を含む、請求項１に記載の液状粗炭化水素組成物。
【請求項３】
１種類以上の炭化水素含有溶媒が芳香族精製所流溶媒を含む、請求項１又は２に記載の液状粗炭化水素組成物。
【請求項４】
１種類以上のアスファルテン調節剤が、アルキル芳香族スルホン酸であって、アルキル部が約１０−約８０個の炭素原子を有するα−オレフィン由来である、請求項１−３のいずれか一項に記載の液状粗炭化水素組成物。
【請求項５】
１種類以上のアスファルテン調節剤が、脂肪族スルホン酸であって、脂肪族基が異性化オレフィン由来である、請求項１−３のいずれか一項に記載の液状粗炭化水素組成物。
【請求項６】
１種類以上のアスファルテン調節剤が、アルキル置換ヒドロキシ芳香族カルボン酸であって、アルキル部が約１０−約８０個の炭素原子を有するα−オレフィン由来である、請求項１−３のいずれか一項に記載の液状粗炭化水素組成物。
【請求項７】
少量のブレンドが液状粗炭化水素組成物の総重量に対して約１０重量％−約４０重量％である、請求項１−６のいずれか一項に記載の液状粗炭化水素組成物。
【請求項８】
少量のブレンドが、液状粗炭化水素組成物の総重量に対して約１５重量％−約３５重量％である、請求項１−６のいずれか一項に記載の液状粗炭化水素組成物。
【請求項９】
液状粗炭化水素を輸送する方法であって、
（ａ）ＡＰＩ度が約２０以下の液状粗炭化水素を提供する工程、
（ｂ）（ｉ）芳香族含量が少なくとも約１０重量％である１種類以上の炭化水素含有溶媒、及び（ｉｉ）芳香族スルホン酸又はその塩、脂肪族スルホン酸及びその塩及びアルキル置換したヒドロキシ芳香族カルボン酸又はその塩からなる群から選択される１種類以上のアスファルテン調節剤、を含むブレンドを提供する工程、
（ｃ）少量のブレンドを液状粗炭化水素と混合して、液状粗炭化水素組成物を得る工程、及び
（ｄ）処理施設又は輸送キャリアーに液状粗炭化水素組成物を輸送する工程
を含む、方法。
【請求項１０】
ＡＰＩ度が約２０以下の液状粗炭化水素が、重質原油又は超重質原油を含む、請求項９に記載の方法。
【請求項１１】
１種類以上の炭化水素含有溶媒が、芳香族精製所流溶媒を含む、請求項９又は１０に記載の方法。
【請求項１２】
１種類以上のアスファルテン調節剤がアルキル芳香族スルホン酸であって、アルキル部が、約１０−約８０個の炭素原子を有するα−オレフィン由来である、請求項９−１１のいずれか一項に記載の方法。
【請求項１３】
１種類以上のアスファルテン調節剤が脂肪族スルホン酸であって、脂肪族基が異性化オレフィン由来である、請求項９−１１のいずれか一項に記載の方法。
【請求項１４】
１種類以上のアスファルテン調節剤がアルキル置換ヒドロキシ芳香族カルボン酸であって、アルキル部が約１０−約８０個の炭素原子を有するα−オレフィン由来である、請求項９−１１のいずれか一項に記載の方法。
【請求項１５】
少量のブレンドが、液状粗炭化水素組成物の総重量に対して約１０重量％−約４０重量％である、請求項９−１４のいずれか一項に記載の方法。
【発明の詳細な説明】
【技術分野】
【０００１】
（優先権）
本出願は、２０１１年８月３１日出願の同時係属出願米国第１３／１９９，４５３号明細書に対する米国特許法第１１９条に基づく利益を主張するものであり、前記特許明細書の内容は、参考として本明細書に引用されている。
【背景技術】
【０００２】
１．技術分野
本発明は、一般に液状粗炭化水素組成物及びその輸送方法に関する。
【０００３】
２．関連技術の説明
軽質の低硫黄原油の世界の埋蔵量は減少し、石油の世界中での消費量は増加しているので、製油業者は重質原油資源から有用な石油を抽出する方法を模索している。「重質原油」の形態での膨大な埋蔵量は、カナダ西部、ベネズエラ、ロシア、米国などの多数の国に存在する。例えば、重質又は超重質原油は、ベネズエラのオリノコ油田、カナダのオイルサンド、及び北アラスカのウグヌ・レザバーに見出すことができる。アルバータは、カナダの石油の三分の二及びその天然ガスの四分の三を産出している。アルバータの石油のほぼ半分は、膨大なオイルサンドから採掘され、それはビチューメンと呼ばれる重質原油の埋蔵物である。アルバータのオイルサンドは、世界におけるビチューメンの最大の既知埋蔵物である。オイルサンドは、同州の３つの主要な地域である北東部のアサバスカ川流域、北部のピースリバー地方、及びアルバータ中東部のコールド・レイク地方に産する。
【０００４】
ビチューメン、重油及びタールサンドを含む可能性がある重質原油は、硫黄及び窒素並びに金属、とりわけ鉄、ニッケル及びバナジウムのような混入物の濃度がかなり高いことにより処理の問題が起きている。ビチューメンは、自然に流動し且つ地面から汲み上げられる通常の原油よりも採掘に費用がかかる。これは、更に精製することができる原油を生産するには、粘稠な黒油を周囲の砂及び水から分離しなければならないからである。ビチューメンは、深貯留層に見出される通常の原油とは異なり、通常の原油と同じ軽質留分を持たない。従って、ビチューメンは、１．０００ｋｇ／ｄｍ３（１０ＡＰＩ未満）を上回る密度と軽質原油の１０００倍の貯留層状態における粘度を有する重分子からなっている。ビチューメンの組成のために、精製業者において軽質原油として精製することができる前に、品質改良しなければならない。
【０００５】
その上、大埋蔵量の重質又は超重質原油は、それらの天然状態では極めて粘稠である。しかしながら、これらの原油の粘性により、石油を通常のパイプラインでステーションに輸送して、それを処理して有用な最終製品とすることが困難になっている。これらの石油における高粘度の原因は、石油の高アスファルテン含量によるものと考えられている。アスファルテンは、原油中に見出される有機複素環式高分子である。通常の貯留層状態下では、アスファルテンは、通常はアスファルテンと化学的に相溶性であるが分子量がより低いマルテン及び樹脂によって原油中で安定化している。マルテン及び樹脂の極性部分はアスファルテンを取り囲み、一方無極性部分は油相に引きつけられている。従って、これらの分子は界面活性剤として作用し、原油中のアスファルテンを安定化させる。しかしながら、原油の圧力、温度又は濃度の変化は、分散の安定性を変化させてアスファルテンが凝集してより大きな粒子になる傾向を増す可能性がある。これらの凝集体は、アスファルテンが構築されなかった場合より遥かに高い粘度を生じる。
【０００６】
一般に、望ましくないアスファルテン沈澱は、例えば、油井又はパイプラインの目詰まり並びに石油生産の停止又は減少による石油産業の問題である。又、下流での応用では、アスファルテンは、熱的品質向上処理により残留物転換の収率を減少させ且つ限定する際のコークスの供給源であると考えられる。従って、重質原油の輸送者及び精製業者は、重質原油を所望な場所に輸送するためのポンパビリティーを改良するための様々な手法を開発した。
【０００７】
高アスファルテン含有炭化水素を輸送する１つの方法は、灯油又は他の非極性留出物を添加することである。灯油又は留出物は、アスファルテン凝集体を分散させず、それらは凝集体を希釈して凝集体が実際に個々の分子にまで分散したときよりも低い粘度とするだけである。しかしながら、灯油又は留出物を所望な粘度を得るのに十分な量で添加することは、特にアスファルテンの濃度が高いときには非常に費用がかかる可能性がある。幾つかの場合には、灯油又は留出物の添加によって、凝集が更に促進され、原油中にアスファルテンの沈澱を引き起こす可能性さえある。
【０００８】
従って、アスファルテンを、精製プロセスに入るまで炭化水素液体中で安定な懸濁状態に保持するのが一般的に有利である。これは、最終的な収率を増加させるだけでなく、プロセスにおける管理の問題を防止又は減少させ、炭化水素組成物からの生産性を向上させる。一つの解決法は、水中油型エマルションを形成させることであった。水中油型エマルションでは、粘度が非常に減少し、パイプラインによるその輸送が容易になる。例えば、米国特許第４，３９２，９４４号明細書（「’９４４号明細書」）には、重質原油とビチューメンの安定な水中油型エマルション及びその後のエマルションの崩壊が開示されている。’９４４号明細書には、水素化カルシウム（すなわち、消石灰又は水和石灰）を用いて水中油型エマルションを油中水型エマルションに転換し、生成する油中水型エマルションを脱水することによって、エマルションを崩壊させることができることが開示されている。
【０００９】
もう一つの例は、米国特許第５，５２６，８３９号明細書であり、これには（ａ）不活性な天然界面活性剤を含む粘稠な粗炭化水素を提供し、（ｂ）水性溶液中で緩衝剤添加物の溶液を形成して塩基性の水性緩衝剤溶液を提供して、緩衝剤添加物が粘稠な粗炭化水素由来の不活性な天然界面活性剤を活性化し、（ｃ）水性緩衝剤溶液中で粘稠な粗炭化水素の安定なエマルションを提供するのに十分な割合で粘稠な粗炭化水素を水性緩衝剤溶液と混合する工程を含む水性緩衝溶液中で粘稠な粗炭化水素の安定なエマルションを形成する方法が開示されている。
【００１０】
もう一つの解決法は、分散剤の使用による石油中のアスファルテンの凝集体の分解又は崩壊であった。例えば、米国特許第６，１８７，１７２号明細書には、液状炭化水素に、十分な濃度、例えば、約０．１−約２５重量％の炭化水素可溶性アスファルテン分散剤を配合することによってアスファルテンを液状炭化水素に分散させる方法が開示されている。米国特許第６，４８８，７２４号明細書には、特に、アスファルテン、スラッジなどの乳化及び／又は分散に関して、アルコキシル化脂肪族アミン化合物又は脂肪族アミン誘導体と重油の効果的な添加物としての有機金属塩の組合せの使用が開示されている。
【先行技術文献】
【特許文献】
【００１１】
【特許文献１】米国特許第４，３９２，９４４号
【特許文献２】米国特許第５，５２６，８３９号
【特許文献３】米国特許第６，１８７，１７２号
【特許文献４】米国特許第６，４８８，７２４号
【特許文献５】米国特許第６，１６２，７７０号
【非特許文献】
【００１２】
【非特許文献１】Ｒｏｓｅｍａｒｉｅ  Ｓｚｏｓｔａｋのモレキュラーシーブハンドブック
【発明の概要】
【発明が解決しようとする課題】
【００１３】
従って、簡単で採算性のよい方法で行うことができるアスファルテン含有液状粗炭化水素の処理及び輸送を目的とする改良法及び装置を提供することが望ましい。
【課題を解決するための手段】
【００１４】
本発明の一実施態様によれば、
（ａ）ＡＰＩ度が約２０以下の液状粗炭化水素、及び
（ｂ）（ｉ）芳香族含量が少なくとも約１０重量％である１種類以上の炭化水素含有溶媒及び（ｉｉ）芳香族スルホン酸又はその塩、脂肪族スルホン酸及びその塩及びアルキル置換したヒドロキシ芳香族カルボン酸又はその塩からなる群から選択される１種類以上のアスファルテン調節剤を含む少量のブレンド
を含む、液状粗炭化水素組成物が提供される。
本発明の第二の実施態様によれば、液状粗炭化水素を輸送する方法であって、
（ａ）ＡＰＩ度が約２０以下の液状粗炭化水素を提供し、
（ｂ）（ｉ）芳香族含量が少なくとも約１０重量％である１種類以上の炭化水素含有溶媒及び（ｉｉ）芳香族スルホン酸又はその塩、脂肪族スルホン酸及びその塩及びアルキル置換したヒドロキシ芳香族カルボン酸又はその塩からなる群から選択される１種類以上のアスファルテン調節剤を含むブレンドを提供し、
（ｃ）少量のブレンドを液状粗炭化水素と混合して液状粗炭化水素組成物を得て、
（ｄ）処理施設又は輸送キャリアーへ液状粗炭化水素組成物を輸送する
工程を含む方法が提供される。
本発明の第三の実施態様によれば、ＡＰＩ度が約２０以下の液状粗炭化水素を含む液状粗炭化水素組成物中で、（ｉ）芳香族含量が少なくとも約１０重量％である１種類以上の炭化水素含有溶媒と（ｉｉ）芳香族スルホン酸又はその塩、脂肪族スルホン酸及びその塩及びアルキル置換したヒドロキシ芳香族カルボン酸又はその塩からなる群から選択される１種類以上のアスファルテン調節剤を含む少量のブレンドを用いる、処理施設又は輸送キャリアーへの液状粗炭化水素組成物の輸送が提供される。
【発明の効果】
【００１５】
本発明は、ＡＰＩ度が約２０以下の液状粗炭化水素と（ｉ）芳香族含量が少なくとも約１０重量％である１種類以上の炭化水素含有溶媒（ｉｉ）芳香族スルホン酸又はその塩、脂肪族スルホン酸及びその塩及びアルキル置換したヒドロキシ芳香族カルボン酸又はその塩からなる群から選択される１種類以上のアスファルテン調節剤を含む少量のブレンドとを組み合わせたものである。芳香族含量が少なくとも約１０重量％である１種類以上の炭化水素含有溶媒は、生成する液状粗炭化水素組成物からアスファルテンが沈澱するのを好都合に防止又は抑制し、同時に１種類以上のアスファルテン調節剤はアスファルテンが生成する液状粗炭化水素組成物中で凝縮するのを好都合に防止又は抑制する。この方法で、液状粗炭化水素は、例えば、パイプラインを通じて、簡単で採算性のよい方法で処理し、輸送することができる。更に、芳香族含量が少なくとも約１０重量％である１種類以上の炭化水素含有溶媒と１種類以上のアスファルテン調節剤の組合せは、熱処理又は水素化処理の際に重質残渣の転換率を増加させることができ、同時に下流での操作の際に沈澱形成やファウリングを防止することもできる。
【図面の簡単な説明】
【００１６】
【図１】図１は、７５／２５重量％の比率の超重質原油及び炭化水素含有溶媒／アスファルテン調節剤ブレンドをそれぞれ含む液状粗炭化水素組成物中におけるアスファルテン調節剤の濃度の関数としての粘度減少を示し、及び
【００１７】
【図２】図２は、７５／２５重量％の比率の超重質原油及び炭化水素含有溶媒／アスファルテン調節剤ブレンドをそれぞれ含む液状粗炭化水素組成物中における低濃度のアスファルテン調節剤の粘度減少を示す。
【発明を実施するための形態】
【００１８】
本発明は、（ａ）ＡＰＩ度が約２０以下の液状粗炭化水素、及び（ｂ）（ｉ）芳香族含量が少なくとも約１０重量％である１種類以上の炭化水素含有溶媒及び（ｉｉ）芳香族スルホン酸、脂肪族スルホン酸、及びアルキル置換したヒドロキシ芳香族カルボン酸のアルカリ又はアルカリ土類金属塩からなる群から選択される１種類以上のアスファルテン調節剤を含む少量のブレンドを含む、液状粗炭化水素組成物に関する。
【００１９】
一般に、ＡＰＩ度が約２０以下の液状粗炭化水素は、アスファルテン含有液状粗炭化水素である。時にはアスファルテン（ａｓｐｈａｌｔｈｅｎｅｓ）とも呼ばれているアスファルテンは、通常は天然では固体で且つ低分子量芳香族及び樹脂分子の溶液に含まれている多核芳香族を含む化学的クラス（ｃｈｅｍｉｃａｌ  ｃｌａｓｓ）の化合物とは異なり、混合溶解度クラス（ｍｉｘｅｄ  ｓｏｌｕｂｉｌｉｔｙ  ｃｌａｓｓ）の化合物であり、且つ又原油及び重質留分に様々な量で含まれている。アスファルテンは、通常は総ての凝縮物又は軽質原油中には存在しないが、それらは重質原油及び石油留分に比較的多量に含まれている。アスファルテンは不溶性成分又は画分であり、その濃度は、ジ・インスティテュート・オブ・ペトロリウム（ｔｈｅ  Ｉｎｓｔｉｔｕｔｅ  ｏｆ  Ｐｅｔｒｏｌｅｕｍ）の方法ＩＰ−１４３に規定されているようにｎ−パラフィン溶媒を芳香族溶媒に完全に可溶性の供給原料に添加することによって沈澱したアスファルテンの量として定義される。
【００２０】
生産される液状粗炭化水素の供給源は、ＡＰＩ度が約２０以下の液状粗炭化水素が得られ、生産されるなどが可能な任意の供給源であればよい。供給源は、地下の石油貯留層と流体連通している１種類以上の採収井でよい。（これらの）採収井は、熱回収条件下にあることがあり、又は（これらの）採収井は、炭化水素原油又は石油が強力な入水衝動を有する貯留層から生産されている重質油田にあることがある。原油は、任意の種類の原油又は石油であり、液化コールオイル、タールサンドオイル、オイルサンドオイル、オイルシェールオイル、オリノコタール、又はそれらの混合物を含むこともある。原油としては、原油留出物、原油の蒸留から得られる炭化水素油残渣又はそれらの混合物が挙げられる。一般に、ＡＰＩ度が約２０以下の液状粗炭化水素は、４０℃における粘度が約１００−約２，０００，０００ｃＳｔとなる。
【００２１】
一実施態様では、液状粗炭化水素は重質原油である。本明細書で用いられる「重質原油」という用語は、ＡＰＩ度が約２０であり且つ４０℃における粘度が約１００ｃＳｔを上回る原油を表す。重質原油の一例としては、ハマカビチューメン原油が挙げられる。重質原油は、アスファルテン含量が比較的高く、水素／炭素比が比較的低い。一実施態様では、重質原油は、アスファルテン含量が約２０重量％以下である。一実施態様では、重質原油は、ＡＰＩ度が約２０以下であり且つ４０℃における粘度が約１００ｃＳｔを上回り且つ２，０００，０００ｃＳｔ以下である原油である。粘度測定は、ＡＳＴＭ  Ｄ４４５に準じて決定される。
【００２２】
もう一つの実施態様では、液状粗炭化水素は超重質原油である。本明細書で用いられる「超重質原油」という用語は、ＡＰＩ度が約１２以下であり且つ４０℃における粘度が約３００ｃＳｔを上回る原油を表す。一実施態様では、超重質原油は、ＡＰＩ度が約１２以下であり且つ４０℃における粘度が約３００ｃＳｔを上回り且つ２，０００，０００ｃＳｔ以下である原油である。一実施態様では、超重質原油は、アスファルテン含量が約２０重量％以下である。
【００２３】
本発明によれば、（ｉ）芳香族含量が少なくとも約１０重量％である１種類以上の炭化水素含有溶媒及び（ｉｉ）芳香族スルホン酸又はその塩、脂肪族スルホン酸及びその塩及びアルキル置換したヒドロキシ芳香族カルボン酸又はその塩からなる群から選択される１種類以上のアスファルテン調節剤を含む少量のブレンドを液状粗炭化水素に添加して、その粘度を減少させる。一実施態様では、少量のブレンドは、通常は液状粗炭化水素組成物の総重量に対して約１０−約４０重量％の量である。一実施態様では、少量のブレンドは、液状粗炭化水素組成物の総重量に対して約１５−約３５重量％の量である。
【００２４】
芳香族含量が少なくとも約１０重量％である１種類以上の炭化水素含有溶媒は液状であり、好都合にはアスファルテンが生成する液状粗炭化水素組成物から沈澱するのを防止又は抑制する。好適な１種類以上の炭化水素含有溶媒（ｉ）としては、芳香族含量が少なくとも約１０重量％である炭化水素含有溶媒が挙げられる。一実施態様では、１種類以上の炭化水素含有溶媒としては、芳香族含量が少なくとも約２０重量％である炭化水素含有溶媒が挙げられる。一実施態様では、１種類以上の炭化水素含有溶媒としては、芳香族含量が少なくとも約２５重量％である炭化水素含有溶媒が挙げられる。一実施態様では、１種類以上の炭化水素含有溶媒としては、芳香族含量が少なくとも約４０重量％である炭化水素含有溶媒が挙げられる。一実施態様では、１種類以上の炭化水素含有溶媒としては、芳香族含量が少なくとも約６０重量％である炭化水素含有溶媒が挙げられる。芳香族含量は、ＡＳＴＭ  Ｄ１３１９に準じて測定される値である。
【００２５】
一実施態様では、芳香族含量が少なくとも約１０重量％である１種類以上の炭化水素含有溶媒は、流動接触分解サイクルオイル、例えば、ＦＣＣライト・サイクル・オイル（「ＬＣＯ」）、メディウム・サイクル・オイル（「ＭＣＯ」）及びヘビー・サイクル・オイル（「ＨＣＯ」）、熱分解留出物、及び直留留出物のような高芳香族精製所流由来であり得る。これらの高芳香族精製所流としては、ジェット、ナフサ又はディーゼル蒸留範囲のものが挙げられる。これらの精製所流は、一般に沸点範囲が約２００°Ｆを上回り、更に典型的には、沸点範囲が約３５０°Ｆ−約７５０°Ｆである。一実施態様では、芳香族含量が少なくとも約１０重量％である１種類以上の炭化水素含有溶媒は、沸点範囲が約２００°Ｆ−約７５０°Ｆである。
【００２６】
一実施態様では、芳香族含量が少なくとも約１０重量％である１種類以上の炭化水素含有溶媒としては、例えば、ベンゼン及びナフタレン、並びにイソプロピルベンゼン、エチルベンゼン、トルエンのようなＣ１−Ｃ２０アルキル置換ベンゼン、及びイソプロピルナフタレンのようなＣ１−Ｃ２０アルキル置換ナフタレンが挙げられる。キシレンのような多様なＣ１−Ｃ２０アルキル置換基を含むベンゼン及びナフタレンを、用いてもよい。
【００２７】
一般に、芳香族含量が少なくとも約１０重量％である１種類以上の炭化水素含有溶媒は、ブレンドの総重量に対して約９５−約９９．９９９重量％の範囲の濃度でブレンドに含まれている。一実施態様では、芳香族含量が少なくとも約１０重量％である１種類以上の炭化水素含有溶媒は、ブレンドの総重量に対して約９９．９−約９９．９９９重量％の範囲の濃度でブレンドに含まれている。
【００２８】
ブレンドは、更に芳香族スルホン酸又はその塩、脂肪族スルホン酸及びその塩及びアルキル置換したヒドロキシ芳香族カルボン酸又はその塩からなる群から選択される１種類以上のアスファルテン調節剤を含む。１種類以上のアスファルテン調節剤は、アスファルテンが、生成する液状粗炭化水素組成物中で凝集するのを好都合に防止又は抑制する。更に、１種類以上のアスファルテン調節剤は、１種類以上の炭化水素含有溶媒と組合せたＡＰＩ度が約２０以下の液状粗炭化水素の粘度と比較して少なくとも３％だけ液状粗炭化水素組成物の粘度を好都合に減少させる。液状粗炭化水素組成物の粘度を減少させることによって、液状粗炭化水素組成物の輸送に必要なエネルギーは少なくなり、これによって操業費用が減少する。一実施態様では、生成する液状粗炭化水素組成物の粘度は、４０℃において約２００ｃＳｔである。もう一つの実施態様では、生成する液状粗炭化水素組成物の粘度は、４０℃において約１５０ｃＳｔである。一実施態様では、生成する液状粗炭化水素組成物の粘度は、４０℃において約２−約２００ｃＳｔである。もう一つの実施態様では、生成する液状粗炭化水素組成物の粘度は、４０℃において約２−約１５０ｃＳｔである。
【００２９】
一実施態様では、アスファルテン調節剤は、１種類以上の芳香族スルホン酸又はそれらの塩である。芳香族スルホン酸又はそれらの塩としては、芳香族化合物のアルキル化によって得られるアルキル芳香族スルホン酸又はそれらの塩が挙げられる。次いで、アルキル芳香族をスルホン化して、アルキル芳香族スルホン酸を形成する。所望ならば、アルキル芳香族スルホン酸を苛性化合物で中和して、アルキル芳香族スルホン酸ナトリウム化合物を得ることができる。
【００３０】
少なくとも１種類の芳香族化合物又は芳香族化合物の混合物を用いて、芳香族スルホン酸又はその塩を形成することができる。好適な芳香族化合物又は芳香族化合物混合物は、ベンゼン、トルエン、キシレン、クメン又はそれらの混合物のような単環性芳香族の少なくとも１つを含む。一実施態様では、少なくとも１種類の芳香族化合物又は芳香族化合物混合物は、総ての異性体（すなわち、メタ−、オルト−及びパラ−）を含むキシレン、及びそれらの混合物である。一つの好ましい実施態様では、少なくとも１種類の芳香族化合物はオルト−キシレンである。
【００３１】
少なくとも１種類の芳香族化合物又は芳香族化合物の混合物は、市販されているか又は当該技術分野で周知の方法によって調製することができる。
【００３２】
上記のように、芳香族化合物をアルキル化して、アルキル芳香族化合物を形成することができる。芳香族化合物をアルキル化するのに用いられるアルキル化剤は、様々な供給源由来であってよい。このような供給源としては、ノルマルα−オレフィン、線状α−オレフィン、異性化線状α−オレフィン、二量体化及びオリゴマー化オレフィン、及びオレフィンメタセシス由来のオレフィンが挙げられる。オレフィンは、単一炭素数オレフィンであることができ、又は線状オレフィンの混合物、異性化線状オレフィンの混合物、分岐オレフィンの混合物、部分分岐オレフィンの混合物、又は前記のいずれかの混合物であることもできる。オレフィンを誘導することができるもう一つの供給源は、石油又はフィッシャー−トロプシュワックスのクラッキングによるものである。フィッシャー−トロプシュワックスは、クラッキングの前に水素化処理することができる。他の商業的供給源としては、パラフィン脱水素及びエチレン及び他のオレフィンのオリゴマー化、メタノール−オレフィンプロセス（メタノールクラッカー）などに由来するオレフィンが挙げられる。
【００３３】
オレフィンは、炭素数が約８炭素原子−約６０炭素原子のオレフィンから選択することができる。一実施態様では、オレフィンは、炭素数が約１０−約５０炭素原子のオレフィンから選択される。一実施態様では、オレフィンは、炭素数が約１２−約４０炭素原子のオレフィンから選択される。
【００３４】
もう一つの実施態様では、オレフィン又はオレフィンの混合物は、約８−約６０炭素原子を含む線状α−オレフィン又は異性化オレフィンから選択される。一実施態様では、オレフィンの混合物は、約１０−約５０炭素原子を含む線状α−オレフィン又は異性化オレフィンから選択される。一実施態様では、オレフィンの混合物は、約１２−約４０炭素原子を含む線状α−オレフィン又は異性化オレフィンから選択される。
【００３５】
一実施態様では、分岐オレフィンの混合物は、Ｃ３以上のモノオレフィン（例えば、プロピレンオリゴマー、ブチレンオリゴマー、又はコオリゴマーなど）由来であってよいポリオレフィンから選択される。一実施態様では、分岐オレフィンの混合物は、プロピレンオリゴマー又はブチレンオリゴマーであるか、又はそれらの混合物である。
【００３６】
アルキル化反応に用いることができる線状オレフィンは、分子当たり約８−約６０炭素原子を有するオレフィンから選択されるノルマルα−オレフィンの一つ又は混合物であることができる。一実施態様では、ノルマルα−オレフィンは、分子当たり約１０−約５０炭素原子を有するオレフィンから選択される。一実施態様では、ノルマルα−オレフィンは、分子当たり約１２−約４０炭素原子を有するオレフィンから選択される。
【００３７】
一実施態様では、芳香族化合物は、Ｃ８−Ｃ６０炭素原子を含むノルマルα−オレフィンの混合物でアルキル化される。一実施態様では、芳香族化合物は、Ｃ１０−Ｃ５０炭素原子を含むノルマルα−オレフィンの混合物でアルキル化される。もう一つの実施態様では、芳香族化合物は、芳香族アルキレートを得るためにＣ１２−Ｃ４０炭素原子を含むノルマルα−オレフィンの混合物でアルキル化される。
【００３８】
アルキル芳香族スルホン酸又はその塩を製造するのに用いられるノルマルα−オレフィンは、市販されているか又は当該技術分野で周知である方法によって調製することができる。
【００３９】
一実施態様では、ノルマルα−オレフィンは、固体又は液状酸触媒を用いて異性化される。固体触媒は、好ましくは少なくとも１種類の金属酸化物を有し、平均孔径が５．５オングストローム未満である。一実施態様では、固体触媒は、ＳＭ−３、ＭＡＰＯ−１１，ＳＡＰＯ−１１，ＳＳＺ−３２、ＺＳＭ−２３、ＭＡＰＯ−３９、ＳＡＰＯ−３９、ＺＳＭ−２２又はＳＳＺ−２０のような一次元細孔系を有するモレキュラーシーブである。異性化に有用な他の可能性のある酸性固体触媒としては、ＺＳＭ−３５、ＳＵＺ−４、ＮＵ−２３、ＮＵ−８７及び天然又は合成フェリエライトが挙げられる。これらのモレキュラーシーブは、当該技術分野で周知であり、Ｒｏｓｅｍａｒｉｅ  Ｓｚｏｓｔａｋのモレキュラーシーブハンドブック（ニューヨーク、Ｖａｎ  Ｎｏｓｔｒａｎｄ  Ｒｅｉｎｈｏｌｄ、１９９２）において検討されており、前記文献の記載内容はあらゆる目的に対する参考として引用されている。用いることができる液状タイプの異性化触媒は、ペンタカルボニル鉄（Ｆｅ（ＣＯ）５）である。
【００４０】
ノルマルα−オレフィンの異性化のプロセスは、バッチ又は連続方式で行うことができる。プロセス温度は、約５０℃−約２５０℃とすることができる。バッチ方式では、用いられる典型的な方法は、オートクレーブ又はガラスフラスコ撹拌であり、これは所望な反応温度まで加熱することができる。連続プロセスは、固定床プロセスで最も効率的に行われる。固定床プロセスにおける空間速度は、約０．１−約１０以上の重量時間当たりの空間速さとすることができる。
【００４１】
固定床プロセスでは、異性化触媒を反応器に充填し、真空下又は乾燥した不活性ガスを流しながら少なくとも１２５℃の温度で活性化又は乾燥する。活性化の後、異性化触媒の温度を調節して所望な反応温度とし、オレフィン流を反応器に導入する。部分的に分岐した異性化オレフィンを含む反応器からの流出液を集める。部分的に分岐した異性化オレフィンは、未異性化オレフィンとは異なるオレフィン分布（すなわち、α−オレフィン、βオレフィン、内部オレフィン、三置換オレフィン、及びビニリデンオレフィン）及び分岐含量を含み、条件を選択して所望なオレフィン分布及び分岐度を得る。
【００４２】
典型的には、アルキル化芳香族化合物は、ブレンステッド酸触媒、ルイス酸触媒、又は固体の酸性触媒を用いて調製することができる。
【００４３】
ブレンステッド酸触媒は、塩酸、フッ化水素酸、臭化水素酸、硫酸、過塩素酸、トリフルオロメタンスルホン酸、フルオロスルホン酸、及び硝酸などを含む群から選択することができる。好ましくは、ブレンステッド酸触媒はフッ化水素酸である。
【００４４】
ルイス酸触媒は、三塩化アルミニウム、三臭化アルミニウム、三ヨウ化アルミニウム、三フッ化ホウ素、三臭化ホウ素、三ヨウ化ホウ素などを含むルイスさんの群から選択することができる。一実施態様では、ルイス酸触媒は三塩化アルミニウムである。
【００４５】
固体の酸性触媒は、ゼオライト、酸性白土、及び／又はシリカ−アルミナを含む群から選択することができる。好適な固体触媒は、酸型のカチオン交換樹脂、例えば、架橋スルホン酸触媒である。この触媒は、モレキュラーシーブでよい。好適なモレキュラーシーブは、シリカ−アルミノホスフェートモレキュラーシーブ又は金属シリカ−アルミノホスフェートモレキュラーシーブであって、金属が、例えば、鉄、コバルト又はニッケルであることができるものである。固体の酸性触媒の他の好適な例は、米国特許第７，１８３，４５２号明細書に開示されており、前記特許明細書の開示内容は参考として本明細書に引用されている。
【００４６】
ブレンステッド酸触媒は、不活性化した（すなわち、触媒がその触媒活性の総て又は幾分かを喪失してしまった）後に再生することができる。当該技術分野で周知の方法を用いて、酸触媒、例えば、フッ化水素酸を再生することができる。
【００４７】
アルキル芳香族を製造するのに用いられるアルキル化法は、約０−約３００℃で作動するバッチ、半バッチ又は連続プロセスに用いられるブレンステッド及び／又はルイス酸並びに固体の酸触媒を包含する。
【００４８】
酸触媒は、連続プロセスで用いるときには再利用することができる。酸触媒は、バッチプロセス又は連続プロセスで用いるときには再利用又は再生することができる。
【００４９】
一実施態様では、アルキル化プロセスは、撹拌が保持されている第一の反応器において第一の量の少なくとも１種類の芳香族化合物又は芳香族化合物の混合物を第一の量のオレフィン化合物の混合物とフッ化水素酸のようなブレンステッド酸触媒の存在下にて反応させることによって第一の反応混合物を生成させることによって行われる。生成する第一の反応混合物を、第一のアルキル化ゾーンにおいてオレフィンを芳香族アルキレート（すなわち、第一の反応生成物）に転換するのに十分な時間アルキル化条件下に保持する。所望な時間の後、第一の反応生成物をアルキル化ゾーンから取り出し、第二の反応器に供給して、第一の反応生成物を、追加量の少なくとも１種類の芳香族化合物又は芳香族化合物の混合物及び追加量の酸触媒、及び場合によっては追加量のオレフィン化合物の混合物であって、撹拌が保持されているものと反応させる。第二の反応混合物が生成し、第二のアルキル化ゾーンにおいてオレフィンを芳香族アルキレート（すなわち、第二の反応生成物）に転換するのに十分な時間アルキル化条件下に保持する。第二の反応生成物を液−液分離器に供給し、炭化水素（すなわち、有機）生成物を酸触媒から分離できるようにする。酸触媒は、閉ループサイクルにおける（複数の）反応器に再循環させることができる。炭化水素生成物を更に処理して、過剰の未反応芳香族化合物、及び場合によってはオレフィン化合物を所望なアルキレート生成物除去する。過剰の芳香族化合物は、（複数の）反応器に再循環させることもできる。
【００５０】
もう一つの実施態様では、反応は、直列に配置されている２個を上回る反応器で起こる。第二の反応生成物を液−液分離器に供給する代わりに、第二の反応生成物を第三の反応器に供給し、第二の反応生成物を、追加量の少なくとも１種類の芳香族化合物又は芳香族化合物の混合物及び追加量の酸触媒、及び場合によっては追加量のオレフィン化合物の混合物であって、撹拌が保持されているものと反応させる。第三の反応混合物が生成し、第三のアルキル化ゾーンにおいてオレフィンを芳香族アルキレート（すなわち、第三の反応生成物）に転換するのに十分な時間アルキル化条件下に保持する。反応は、所望なアルキル化芳香族反応生成物を得るのに必要な数の反応器で起こる。
【００５１】
ブレンステッド酸触媒のオレフィン化合物に対する総装填モル比は、組合せた反応器について約０．１−約１である。好ましくは、ブレンステッド酸触媒のオレフィン化合物に対する装填モル比は、第一の反応器では約０．７−約１以下であり、第二の反応器では約０．３−約１以上である。
【００５２】
芳香族化合物のオレフィン化合物に対する総装填モル比は、組合せた反応器について約７．５：１−約１：１である。好ましくは、芳香族化合物のオレフィン化合物に対する装填モル比は、第一の反応器では約１．４：１−約１：１以上であり、第二の反応器では約６．１：１−約１：１以下である。
【００５３】
多くの種類の形状の反応器を、反応器ゾーンに用いることができる。これらの形状のものとしては、バッチ及び連続撹拌タンク反応器、リアクター・ライザーコンフィギュレーション（ｒｅａｃｔｏｒ  ｒｉｓｅｒ  ｃｏｎｆｉｇｕｒａｔｉｏｎｓ）、エブュレーティング・ベッド・リアクター（ｅｂｕｌａｔｉｎｇ  ｂｅｄ  ｒｅａｃｔｏｒｓ）、及び当該技術分野で周知の他の形状の反応器が挙げられるが、これらに限定されない。このような多くの反応器は当業者に知られており、アルキル化反応に好適である。撹拌はアルキル化反応にとって重要であり、邪魔板付き又はなしの回転インペラ、スタティックミキサー、ライザー中の動力学的混合、又は当該技術分野で周知の任意の他の撹拌装置によって提供することができる。アルキル化プロセスは、約０℃−約１００℃の温度で行うことができる。このプロセスは、供給成分の実質的部分が液相のままになっている十分な圧力下で行われる。典型的には、０−１５０ｐｓｉｇの圧力が、供給材料及び生成物を液相に保持するのに十分である。
【００５４】
反応器における滞留時間は、オレフィン実質的部分をアルキレート生成物に転換するのに十分な時間である。必要とされる時間は、約３０秒−約３０分間である。更に正確な滞留時間は、アルキル化プロセスの反応速度を測定するためのバッチ撹拌タンク反応器を用いて当業者が決定することができる。
【００５５】
少なくとも１種類の芳香族化合物又は芳香族化合物の混合物とオレフィン化合物を、別々に反応ゾーンに注入することができ、又は注入前に混合することもできる。単一又は複合反応ゾーンのいずれも、１個、数個又は総ての反応ゾーンへの芳香族化合物及びオレフィン化合物の注入に用いることができる。反応ゾーンは、同一プロセス条件に保持する必要はない。アルキル化プロセスの炭化水素供給材料は、芳香族化合物とオレフィン化合物の混合物であって、芳香族化合物のオレフィンに対するモル比が約０．５：１−約５０：１以上であるものを含むことがある。芳香族化合物のオレフィンに対するモル比が＞１．０−１である場合には、過剰量の芳香族化合物が存在する。過剰の芳香族化合物を用いて、反応速度を増加させ、生成物選択性を向上させるのが好ましい。過剰の芳香族化合物を用いるときには、反応器からの流出液中の過剰の未反応芳香族を、例えば、蒸留によって分離し、反応器に再循環させることができる。
【００５６】
一実施態様では、アルキル芳香族は、幾つかの異性体を含有するアルキレートを生成するオルト−キシレンのアルキル化によって製造されるが、アルキレートの少なくとも約９０重量％は１，３，４−環アタッチメント構造であり、芳香族環に対する２−アルキルアタッチメントは約４０−約６０重量％（すなわち、最長のアルキル鎖がアルキル鎖の２位で芳香族環に連結している）、又は芳香族環に対する２−アルキルアタッチメントは約４５−約５５重量％又は２−アルキルアタッチメントが約５０重量％である。一実施態様では、アルキレートは、約１−約２０重量％ジアルキレート種を含む。一実施態様では、アルキレートは、約１０重量％未満のジアルキレート種を含む。一実施態様では、アルキレートの少なくとも約９５重量％、及び最も好ましくは、約９８重量％は、１，３，４−環アタッチメント構造を含む。アルキレートをスルホン化すると、２−アルキル−４，５−ジメチルベンゼンスルホン酸異性体であって、このスルホン酸異性体の量が、例えば、約１−約９０重量％の量、又は約１０−約８０重量％の量又は少なくとも約７０重量％の量で含まれているもののようなアルキル芳香族スルホン酸の異性体混合物が形成される。
【００５７】
アルキル芳香族生成物が上記のようにして得られたならば、これを更に反応させてアルキル芳香族スルホン酸を得て、これは次いで中和して対応するスルホン酸塩とすることができる。アルキル芳香族化合物のスルホン化は、当業者に知られている任意の方法によって行うことができる。スルホン化反応は、典型的には、約４５℃−約７５℃に保持された連続流下膜式管形反応器で行われる。アルキル芳香族化合物を空気で希釈した三酸化硫黄と共に反応器に入れることによって、アルキルアリールスルホン酸を生成させる。硫酸、クロロスルホン酸又はスルファミン酸のような他のスルホン化試薬を用いることもできる。一実施態様では、アルキル芳香族化合物を、空気で希釈した三酸化硫黄でスルホン化する。三酸化硫黄のアルキレートに対する装填モル比は、約０．８−約１．１：１に保持される。
【００５８】
所望ならば、アルキル芳香族スルホン酸の中和は、アルキル芳香族スルホン酸塩を生成させるための当業者に知られている任意の方法によって連続又はバッチプロセスで行うことができる。典型的には、アルキル芳香族スルホン酸をアルカリ又はアルカリ土類金属の供給源又はアンモニアで中和することによって、アルキル芳香族スルホン酸塩を生成させる。好適なアルカリ金属の非制限的例としては、リチウム、ナトリウム、カリウム、ルビジウム及びセシウムが挙げられる。一実施態様では、好適なアルカリ金属としては、ナトリウム及びカリウムが挙げられる。もう一つの実施態様では、好適なアルカリ金属は、ナトリウムである。好適なアルカリ土類金属の非制限的例としては、カルシウム、バリウム、マグネシウム、又はストロンチウムなどが挙げられる。一実施態様では、好適なアルカリ土類金属はカルシウムである。一実施態様では、供給源は、アルカリ金属水酸化物、例えば、水酸化ナトリウム又は水酸化カリウムのようなアルカリ金属塩基である。
【００５９】
一実施態様では、１種類以上のアスファルテン調節剤は、１種類以上の脂肪族スルホン酸又はそれらの塩である。一般に、脂肪族スルホン酸は、脂肪族化合物をスルホン化することによって調製される。一実施態様では、脂肪族化合物は、Ｃ２−Ｃ８０脂肪族化合物であることができる。一実施態様では、脂肪族化合物は、Ｃ１０−Ｃ８０脂肪族化合物であることができる。一実施態様では、脂肪族化合物は、Ｃ２０−Ｃ６０脂肪族化合物であることができる。
【００６０】
脂肪族化合物は、典型的には、例えばノルマルα−オレフィン、線状α−オレフィン、異性化線状α−オレフィン、二量体化及びオリゴマー化オレフィン、及びオレフィンメタセシス由来のオレフィンなどの様々な供給源由来のオレフィンである。このオレフィンは、単一炭素数オレフィンであることができ、又は線状オレフィンの混合物、異性化線状オレフィンの混合物、分岐オレフィンの混合物、部分分岐オレフィンの混合物、又は上記したもののいずれかの混合物であることができる。オレフィンを誘導することができるもう一つの供給源は、石油又はフィッシャー−トロプシュワックスのクラッキングによるものである。フィッシャー−トロプシュワックスは、クラッキングの前に水素化処理を行うことができる。他の商業的供給源としては、パラフィン脱水素及びエチレン及び他のオレフィンのオリゴマー化、メタノール−オレフィンプロセス（メタノールクラッカー）などに由来されるオレフィンが挙げられる。
【００６１】
オレフィンは、炭素数が約８個の炭素原子−約６０個の炭素原子であるオレフィンから選択することができる。一実施態様では、オレフィンは、炭素数が約１０−約５０個の炭素原子であるオレフィンから選択される。一実施態様では、オレフィンは、炭素数が約１２−約４０個の炭素原子であるオレフィンから選択される。一実施態様では、オレフィンは、炭素数が約１８−約２８個の炭素原子であるオレフィンから選択される。
【００６２】
もう一つの実施態様では、オレフィン又はオレフィンの混合物は、約８−約６０個の炭素原子を有する線状α−オレフィン又は異性化オレフィンから選択される。一実施態様では、オレフィンの混合物は、約１０−約５０個の炭素原子を有する線状α−オレフィン又は異性化オレフィンから選択される。一実施態様では、オレフィンの混合物は、約１２−約４０個の炭素原子を有する線状α−オレフィン又は異性化オレフィンから選択される。一実施態様では、オレフィンは、炭素数が約１８−約２８個の炭素原子であるオレフィンから選択される。
【００６３】
一実施態様では、分岐オレフィンの混合物は、Ｃ３以上のモノオレフィン（例えば、プロピレンオリゴマー、ブチレンオリゴマー又はコオリゴマーなど）由来であってよいポリオレフィンから選択される。一実施態様では、分岐オレフィンの混合物は、プロピレンオリゴマー又はブチレンオリゴマー又はそれらの混合物である。
【００６４】
脂肪族基として用いることかできる線状オレフィンは、分子当たり約８−約６０個の炭素原子を有するオレフィンから選択されるノルマルα−オレフィンの一つであるか又は混合物であることができる。一実施態様では、ノルマルα−オレフィンは、分子当たり約１０−約５０個の炭素原子を有するオレフィンから選択される。一実施態様では、ノルマルα−オレフィンは、分子当たり約１２−約４０個の炭素原子を有するオレフィンから選択される。一実施態様では、オレフィンは、炭素数が約１８−約２８個の炭素原子であるオレフィンから選択される。
【００６５】
脂肪族化合物として用いられるノルマルα−オレフィンは、市販されているか又は当該技術分野で周知の方法によって調製することができる。
【００６６】
オレフィンを異性化する方法は、知られており、上記に記載されている。当業者であれば、特定のレベルの異性化を行うことができる異性化条件を選択することができる。具体的には、異性化のレベルは、特定のオレフィン試料又は混合物におけるα−オレフィンの量及び分岐のレベルを特徴としている。α−オレフィン及び分岐のレベルは、例えば、フーリエ変換赤外（ＦＴＩＲ）分光法などの様々な通常の方法を用いて順次決定することができる。非定型的ＦＴＩＲ分光法では、α−オレフィンのレベル（又は割合）は、特定の試料の９１０ｃｍ−１における吸光度を追跡し、これを既知のα−オレフィンのレベルを有するキャリブレーション試料の９１０ｃｍ−１における吸光度と比較することによって測定することができる。キャリブレーション試料におけるα−オレフィンレベル（又は割合）は、例えば、既知のプロトコルに準じる１３Ｃ定量的核磁気共鳴（ＮＭＲ）分光法から得ることができる。
【００６７】
分岐の割合は、１３７８ｃｍ−１における試料の吸光度を追跡することによってＦＴＩＲ分光法によって測定することもできる。この吸光度は、メチル基の変角振動の程度に対応する。次に、異性化オレフィン試料の吸光度を、既知の分岐レベルを有する１組のキャリブレーション試料の１３７８ｃｍ−１の吸光度と比較する。典型的には、試験を行う特定のオレフィン混合物を最初に水素化し、未分岐部分を、分岐アルカンと比較して分岐部分のないｎ−アルカンに転換する。次いで、ガスクロマトグラフィーを用いて、未分岐ｎ−アルカンを分岐アルカンと識別し、それらの割合は、そのオレフィン混合物における分岐レベルの割合に相関している。
【００６８】
脂肪族化合物のスルホン化は、脂肪族スルホン酸を得るための当業者に知られている任意の方法によって行うことができる。スルホン化反応は、典型的には、約４５℃−約７５℃に保持された連続流下膜式管形反応器で行われる。脂肪族化合物を、例えば、空気で希釈した三酸化硫黄と共に反応器に入れることによって、脂肪族スルホン酸を生成させる。硫酸、クロロスルホン酸又はスルファミン酸のような他のスルホン化試薬を用いることもできる。一実施態様では、脂肪族化合物を、空気で希釈した三酸化硫黄でスルホン化する。三酸化硫黄のアルキレートに対する装填モル比は、約０．８−約１．１：１に保持される。
【００６９】
所望ならば、脂肪族スルホン酸の中和は、脂肪族スルホン酸塩を生成させるための当業者に知られている任意の方法によって連続又はバッチプロセスで行うことができる。典型的には、脂肪族スルホン酸をアルカリ又はアルカリ土類金属の供給源又はアンモニアで中和することによって、脂肪族スルホン酸塩を生成させる。一実施態様では、供給源は、水酸化ナトリウム又は水酸化カリウムのようなアルカリ金属塩基である。
【００７０】
一実施態様では、１種類以上のアスファルテン調節剤は、１種類以上のアルキル置換ヒドロキシ芳香族カルボン酸又はそれらの塩である。好適なヒドロキシ芳香族化合物としては、単環、二環又は融合環ヒドロキシ芳香族化合物が挙げられる。一実施態様では、好適なヒドロキシ芳香族化合物としては、１−４、好ましくは１−３個のヒドロキシル基を有する単核性のモノヒドロキシ及びポリヒドロキシ芳香族炭化水素が挙げられる。ヒドロキシ芳香族化合物の代表例としては、フェノール、カテコール、レゾルシノール、ヒドロキノン、ピロガロール、クレゾールなどが挙げられる。好ましいヒドロキシ芳香族化合物は、フェノールである。
【００７１】
一実施態様では、アルキル置換ヒドロキシ芳香族カルボン酸又はその塩のアルキル置換部は、約１０個の炭素原子−約８０個の炭素原子を有する分岐鎖アルキル基又は１０個の炭素原子−８０個の炭素原子を有する直鎖アルキル基又はそれらの混合物であることができる。一実施態様では、アルキル置換ヒドロキシ芳香族カルボン酸又はその塩のアルキル置換部は、約２０個の炭素原子−約６０個の炭素原子を有する分岐鎖アルキル基又は２０個の炭素原子−６０個の炭素原子を有する直鎖アルキル基、又はそれらの混合物であることができる。一実施態様では、アルキル置換ヒドロキシ芳香族カルボン酸又はその塩のアルキル置換部は、約８個の炭素原子−約２０個の炭素原子を有する分岐鎖アルキル基と約２０個の炭素原子−約３０個の炭素原子を有する直鎖アルキル基の５０：５０重量％混合物であることができる。直鎖アルキル基と分岐鎖アルキル基は、ヒドロキシベンゼンのようなヒドロキシ芳香族化合物にベンゼン部上のヒドロキシル基に対してオルト又はパラ位に独立して連結している。
【００７２】
一実施態様では、オルト位対パラ位での直鎖アルキル基のアタッチメントの比率は、総アルキル置換ヒドロキシ芳香族カルボン酸又はその塩に基づいて７０：３０である。一実施態様では、オルト位対パラ位での直鎖アルキル基のアタッチメントの比率は、総アルキル置換ヒドロキシ芳香族カルボン酸又はその塩に基づいて６０：４０である。もう一つの実施態様では、オルト位対パラ位での分岐鎖アルキル基のアタッチメントの比率は、総アルキル置換ヒドロキシ芳香族カルボン酸又はその塩に基づいて２０：８０である。もう一つの実施態様では、オルト位対パラ位での分岐鎖アルキル基のアタッチメントの比率は、総アルキル置換ヒドロキシ芳香族カルボン酸又はその塩に基づいて５：９５である。
【００７３】
一実施態様では、アルキル置換ヒドロキシ芳香族カルボン酸又はその塩のアルキル置換部は、約１０−約８０個の炭素原子を有するα−オレフィンに由来され得る。一実施態様では、アルキル置換ヒドロキシ芳香族カルボン酸又はその塩のアルキル置換部は、約２０−約６０個の炭素原子を有するα−オレフィンに由来され得る。用いられるオレフィンは、線状、異性化線状、分岐又は部分分岐した線状であることができる。オレフィンは、線状オレフィンの混合物、異性化線状オレフィンの混合物、分岐オレフィンの混合物、部分分岐した線状オレフィンの混合物、又は前記のいずれかの混合物であることができる。
【００７４】
一実施態様では、用いることができる線状オレフィンの混合物は、分子当たり約１２−約３０個の炭素原子を有するオレフィンから選択されるノルマルα−オレフィンの混合物である。一実施態様では、ノルマルα−オレフィンは、少なくとも１種類の固体又は液体触媒を用いて異性化される。
【００７５】
もう一つの実施態様では、オレフィンは、約２０−約８０個の炭素原子を有する分岐オレフィン性プロピレンオリゴマー又はその混合物であり、すなわち、プロピレンの重合由来の分岐鎖オレフィンである。オレフィンは、ヒドロキシ基、カルボン酸基、ヘテロ原子などのような他の官能基で置換することもできる。一実施態様では、分岐オレフィン性のプロピレンオリゴマー又はそれらの混合物は、約２０−約６０個の炭素原子を有する。一実施態様では、分岐オレフィン性のプロピレンオリゴマー又はそれらの混合物は、約２０−約４０個の炭素原子を有する。
【００７６】
一実施態様では、アルキル置換ヒドロキシ芳香族カルボン酸中に含まれるアルキル基の少なくとも約７５モル％（例えば、少なくとも約８０モル％、少なくとも約８５モル％、少なくとも約９０モル％、少なくとも約９５モル％、又は少なくとも約９９モル％）は、Ｃ２０以上である。もう一つの実施態様では、アルキル置換ヒドロキシ芳香族カルボン酸又はその塩は、アルキル基が少なくとも７５モル％のＣ２０以上のノルマルα−オレフィンを含むノルマルα−オレフィンの残基であるアルキル置換ヒドロキシ安息香酸由来のアルキル置換ヒドロキシ安息香酸又はその塩である。
【００７７】
もう一つの実施態様では、アルキル置換ヒドロキシ芳香族カルボン酸又はその塩中に含まれるアルキル基の少なくとも約５０モル％（例えば、少なくとも約６０モル％、少なくとも約７０モル％、少なくとも約８０モル％、少なくとも約８５モル％、少なくとも約９０モル％、少なくとも約９５モル％、又は少なくとも約９９モル％）は、約Ｃ１４−約Ｃ１８である。
【００７８】
アルキル置換ヒドロキシ芳香族カルボン酸上のカルボン酸部は、アルキル置換ヒドロキシ芳香族化合物に直接または間接的に連結することができる。一つの好ましい実施態様では、カルボン酸部は、アルキル置換ヒドロキシ芳香族化合物に直接連結している。
【００７９】
アルキル置換ヒドロキシ芳香族カルボン酸好適な塩としては、アルキル置換ヒドロキシ芳香族カルボン酸のアルカリ又はアルカリ土類金属塩が挙げられる。好適なアルカリ金属及びアルカリ土類金属の非制限的例としては、上記で記載したものが挙げられる。
【００８０】
アルキル置換ヒドロキシ芳香族カルボン酸の調製方法は、当該技術分野で周知である。一般に、アルキル置換ヒドロキシ芳香族カルボン酸は、二酸化炭素を用いる対応するアルキル置換ヒドロキシ芳香族化合物のカルボキシル化によって調製される。金属塩は、所望な金属の酸化物、水酸化物又はアルコキシドを用いて調製される。例えば、アルキル置換ヒドロキシ芳香族カルボン酸は、米国特許第６，１６２，７７０号明細書に記載の方法で調製することができる。
【００８１】
アルキル置換ヒドロキシ芳香族カルボン酸のアルカリ又はアルカリ土類金属塩は、中性又は過塩基化であることができる。一般に、アルキル置換ヒドロキシ芳香族カルボン酸の過塩基化アルカリ又はアルカリ土類金属塩は、アルキル置換ヒドロキシ芳香族カルボン酸のアルカリ又はアルカリ土類金属塩のＢＮが、塩基供給源（例えば、石灰）及び酸性の過塩基化化合物（例えば、二酸化炭素）の添加のようなプロセスによって増加しているものである。過塩基化の方法は、当該技術分野で周知である。
【００８２】
一般に、１種類以上のアスファルテン調節剤を、ブレンドの総重量に対して約１０ｐｐｍ−約３重量％の範囲の量でブレンドに添加することができる。一実施態様では、１種類以上のアスファルテン調節剤は、ブレンドの総重量に対して約５０ｐｐｍ−約１０００ｐｐｍの範囲の量でブレンドに添加することができる。
【００８３】
生成する液状粗炭化水素組成物を輸送するために、（ｉ）芳香族含量が少なくとも約１０重量％である１種類以上の炭化水素含有溶媒、及び（ｉｉ）芳香族スルホン酸又はその塩、脂肪族スルホン酸及びその塩及びアルキル置換したヒドロキシ芳香族カルボン酸又はその塩からなる群から選択される１種類以上のアスファルテン調節剤を含むブレンドを最初に調製した後に、ＡＰＩ度が約２０以下の液状粗炭化水素に添加する。ブレンドは、任意の既知のブレンディング又は混合手法によって１種類以上の炭化水素含有溶媒を１種類以上のアスファルテン調節剤と単にブレンディング又は混合することによって形成される。ブレンドが形成したならば、次に、その少量を液状粗炭化水素に添加して、液状粗炭化水素組成物を形成する。パイプライン処理施設のような所望な場所へ又は例えば、タンク、容器及びコンテナ化ユニットを包含するコンテナでの例えば、鉄道、トラック、又は船のような輸送キャリアへパイプラインによって、液状粗炭化水素組成物を輸送する準備ができる。所望な場所は、液状粗炭化水素組成物を更に処理する精製所のような処理施設であることができる。一実施態様では、ブレンドは、その所望な場所に到達したならば、更に処理される。
【００８４】
もう一つの実施態様では、ブレンドを液状粗炭化水素組成物から分離した後、再循環又は再使用する。分離した液状粗炭化水素は、溶媒脱瀝装置に送ってアスファルテン画分及び本質的にアスファルテンを含まない脱瀝油画分を分離することができる。本明細書で用いられる「本質的に含まない」という用語は、その成分が、もしあるならば、微量であること、例えば、その成分が約０．１重量％未満であることを意味するものと理解すべきである。アスファルテン画分は、水素化処理装置又は精製所のコーカー装置（例えば、遅延コークス化又は流動コークス化装置）に送り、アスファルテンを更に処理して、より軽質の炭化水素及び石油コークスとすることができる。
【００８５】
更にもう一つの実施態様では、分離された脱瀝油画分に更なる処理を施すことができる。更なる処理の例としては、精製所内で、水素化処理、水素化分解、水素化、水素化仕上げ及び水素化異性化などのような１種類以上の通常の水素化処理手法を施した１種類以上の粗炭化水素精製成分における精製所供給原料としての生成物の使用が挙げられる。あるいは、１種類以上の生成物を、１種類以上の異なる炭化水素含有供給原料とブレンドすることができる。１種類以上の選択された炭化水素含有供給原料を用いることができる精製所の水素化処理は、当該技術分野で周知である。
【００８６】
「粗炭化水素精製成分」という用語は、一般的には石油精製プロセスのような粗炭化水素を精製するための処理の装置又は手段を表す。粗炭化水素精製成分としては、熱交換器、炉、原油予熱器、コーカー予熱器、又は任意の他の加熱器、ＦＣＣスラリーボトム、デブタナイザー交換器／塔、精製施設における他の供給材料／流出液交換器及び炉空気予熱器、精製施設におけるフレアコンプレッサー成分及び石油化学施設におけるスチームクラッカー／改質管のような熱伝達成分が挙げられるが、これらに限定されない。粗炭化水素精製成分としては、熱伝達が起こり得る他の手段、例えば、分別又は蒸留カラム、スクラバー、反応器、液体ジャケット付きタンク、パイプスティール、コーカー及びビスブレーカーを挙げることができる。本明細書で用いられる「粗炭化水素精製成分」とは、管、配管、邪魔板、及び上記の粗炭化水素精製成分の任意の１つに対して内部にあり、を少なくとも部分的に構成し及び／又はと直接液体連通している他のプロセス輸送機構を包含するものと解釈される。
【００８７】
もう一つの実施態様では、液状粗炭化水素組成物が形成されたならば、液状粗炭化水素組成物は、最初に例えば、パイプラインを介して輸送され、次いで更に別の輸送キャリアによって上記のような更なる処理のための精製所などの所望な場所へ輸送される。例えば、液状粗炭化水素組成物を、パイプラインによって船舶ターミナルへ輸送し、次いで、液状粗炭化水素組成物を更に船で所望な精製所に輸送することができる。
【実施例】
【００８８】
下記の非制限的例は、本発明の実例である。
【００８９】
例１
Ｃ２０−Ｃ２４の異性化α−オレフィン（ＩＡＯ）の調製
【００９０】
ノルマルα−オレフィン（ＮＡＯ）における主要なオレフィン種は、典型的には、α−オレフィンである。固体酸押出成形物触媒ＩＣＲ５０２（Ｃｈｅｖｒｏｎ  Ｌｕｍｍｕｓ  Ｇｌｏｂａｌから購入）上のＮＡＯの異性化は、α−オレフィンをβ−オレフィン、内部オレフィン及びさらには三置換オレフィンへ異性化する。ＩＣＲ５０２触媒上でのＮＡＯの異性化は、骨骼異性化も誘発し、メチル基が分岐と呼ばれる異性化α−オレフィン（ＩＡＯ）の炭化水素鎖に沿って導入される。ＩＡＯのα−オレフィン及び分岐含量は、赤外分光法によって好都合に観察される（例２参照）。ＮＡＯのオレフィン及び骨骼異性化の程度は、異性化プロセスの条件によって変化する。
【００９１】
本例では、Ｃｈｅｖｒｏｎ  Ｐｈｉｌｌｉｐｓ  Ｃｈｅｍｉｃａｌ  Ｃｏｍｐａｎｙから入手したＣ２０−Ｃ２４ＮＡＯを、反応器の底から反応器の先端へ順に１４５ｇのＡｌｕｎｄｕｍ２４、８５ｇＡｌｕｎｄｕｍ１００と混合した４０ｇのＩＣＲ５０５、及び１３４ｇのＡｌｕｎｄｕｍ２４を充填した管状の固定床反応器（２．５４ｃｍＩＤｘ５４ｃｍ長のステンレス鋼）で異性化した。反応器は、温度制御した電気炉に垂直に設置した。触媒を、約３０ｍｌ／分の乾燥窒素の下向流中において約１５０℃で乾燥した。ＮＡＯ（約３５℃に加熱）を、触媒床を常圧で１３０℃−２３０℃の温度に保持しながら、ＷＨＳＶ（単位時間当たりの重量空間速さ）１．５で上向流式に送液した。１７０−１８７℃で収集したＩＡＯは、６４．８％の分岐及び０．３重量％のα−オレフィンの残留を示した。
【００９２】
例２
Ｃ２０−Ｃ２４異性化α−オレフィン（ＩＡＯ）の％分岐及び％α−オレフィンの測定
【００９３】
赤外分光法を用いて、例１で得られた異性化Ｃ２０−Ｃ２４ＮＡＯ、すなわちＩＡＯのメチル分岐度及び残留α−オレフィン度を決定した。この手法は、減衰反射（ＡＴＲ）赤外分光法によって測定した１３７８ｃｍ−１（メチルの伸縮に特徴的）における赤外吸収と対応する水素化ＩＡＯ試料のＧＬＰＣ（気液相クロマトグラフィー）分析によって測定した分岐度との間の検量線の展開を含む（水素化によって、ＩＡＯが、ノルマルパラフィンが所定の炭素数に対して最長のＧＬＰＣ保持時間を有するパラフィン混合物に転換される）。同様に、減衰反射（ＡＴＲ）赤外分光法によって測定した９０７ｃｍ−１（α−オレフィンＣ−Ｈ伸縮に特徴的）における吸収と定量的炭素ＮＭＲのよって決定したα−オレフィン度との間に、検量線を展開した。
【００９４】
分岐度に対するデータに適合する線形最小二乗法は、下記の式を示した。
【００９５】
水素化ＧＣによる％分岐＝３．０６５８ｘ（ＡＴＲ赤外分光法による１３７８ｃｍ−１におけるピーク高さ、ｍｍ）−５４．６７９
【００９６】
回帰方程式がどの位良好に生データに合うかを示す尺度として一般に用いられる相関係数（Ｒ２）は０．９３２１であり、この較正方程式を生成するのに用いられる試料の分岐含量は、約９％−９２％の範囲であった。
【００９７】
同様に、α−オレフィン度データに適合する線形最小二乗法は、下式を示した。
【００９８】
炭素ＮＭＲによる％α−オレフィン＝０．５０８２ｘ（ＡＴＲ赤外分光法による９０９ｃｍ−１におけるピーク高さ、ｍｍ）−２．３７１
【００９９】
相関係数（Ｒ２）は０．９８８４であり、この較正方程式を生成するのに用いた試料のα−オレフィン含量は約１％−７５％であった。
【０１００】
例３
６４．８％分岐度のＣ２０−Ｃ２４ＩＡＯのスルホン化
【０１０１】
例１からの６４．８％の分岐度のＣ２０−Ｃ２４ＩＡＯ（０．３重量％の残留α−オレフィンを含む）を、ガラス製の水ジャケット付き流下膜式管形反応器（０．６ｃｍＩＤ及び３個の反応器を直列にしたもの、Ｒ１＝３０ｃｍ、Ｒ２＝３０ｃｍ及びＲ３＝７０ｃｍ）中で、ＳＯ３／空気と下記の条件を用いてスルホン化した。
【０１０２】
ＩＡＯ供給温度＝３５℃
【０１０３】
反応器温度＝３０℃
【０１０４】
気流量＝１９２リットル／時
【０１０５】
ＳＯ２流量＝１６リットル／時
【０１０６】
ＳＯ２−ＳＯ３の転換率＝８７％
【０１０７】
ＩＡＯ供給速度＝４．０ｇ／分
【０１０８】
次いで、生成する粗製Ｃ２０−Ｃ２４異性化オレフィンスルホン酸を４０℃にて２０分間空気中で蒸解し、下記のスルホン酸を得た：６４．４重量％ＲＳＯ３Ｈ及び１．８５重量％Ｈ２ＳＯ４、シクロヘキシルアミン滴定による。
【０１０９】
例４
Ｃ２０−Ｃ２８アルキル置換ヒドロキシ芳香族カルボン酸の調製
【０１１０】
Ｃ２０−Ｃ２８アルキル置換ヒドロキシ芳香族カルボン酸の調製は、Ｃ２０−Ｃ２８アルキルフェノール（ＯＬＯＡ２００Ｈ、Ｃｈｅｖｒｏｎ  Ｏｒｏｎｉｔｅ  Ｃｏｍｐａｎｙ  ＬＬＣから発売されている）から出発して、工程Ｉ−中和、工程ＩＩ−カルボキシル化及び工程ＩＩＩ−酸性化の３つの工程を含む。
【０１１１】
工程Ｉ−Ｃ２０−Ｃ２８アルキルフェノールの中和による対応するカリウム塩の調製
【０１１２】
Ｃｈｅｖｒｏｎ  Ｐｈｉｌｌｉｐｓ  ＣＨｅｍｉｃａｌ  Ｃｏｍｐａｎｙから入手した未異性化Ｃ２０−Ｃ２４／Ｃ２６−Ｃ２８ＮＡＯ（８０：２０）の混合物から作製され、１．０％エーテル、３．５％ジ−アルキレート、３５．９％パラ−アルキル−異性体、０．８％遊離フェノール及び０．８％未反応オレフィン／パラフィン（ＨＰＬＣ９４１５による）の特性を有する市販のＣ２０−Ｃ２８アルキルフェノール（ＯＬＯＡ２００  Ｈ）（１５００ｇ、３．７０モル）を、ディーン・スタークトラップと冷却器を備えた４リットルの丸底四つ口フラスコに入れた後、７５０ｇの混合キシレン及び０．２ｇの発泡防止剤を加えた。混合物を撹拌を行いながら１５分間６０℃に加熱した後、４４４．０ｇ（３．４３モル、純度について補正）の５０重量％水性ＫＯＨ溶液を１０分間かけて加えた。この混合物を、次に１３５℃に１５０分間加熱した。１３５℃への温度傾斜の開始時に、圧力は４５０ｍｍＨｇに減少した。生成する還流キシレンを更に３時間還流状態に保持し、この時点で約３００ｍｌの水をディーン・スタークトラップから回収した。反応を室温まで冷却し乾燥窒素の雰囲気下に保持し、カリウムアルキルフェノール塩／キシレン溶液を得た。この液体を分析したところ、水の存在＝２００ｐｐｍ及び総塩基数＝８２．０であった。
【０１１３】
工程ＩＩ−Ｃ２０−Ｃ２８アルキルフェノールのカリウム塩のカルボキシル化
【０１１４】
工程Ｉから得たアルキルフェノールカリウム塩／キシレン溶液を１００℃に加熱して、４リットルのステンレス鋼製の圧力反応器に移した。反応器の内容物を１４０℃に加熱し、ＣＯ２を反応器の圧力が３バールに達するまで生成物中に通した。反応を１４０℃及びＣＯ２を３バールの定圧に４時間保った。反応器の内容物を約１００℃まで冷却し、３２．０％キシレンマスバランス、カルボン酸＝６５．０ｍｇＫＯＨ／ｇ（滴定により測定）及びサリチル酸指数＝７３０ｍｇＫＯＨ／ｇ試料（滴定のより測定）の特性を有するカルボン酸カリウムのキシレン溶液を得た。
【０１１５】
工程ＩＩＩ−Ｃ２０−Ｃ２８アルキルフェノール由来のカルボン酸カリウムの酸性化
【０１１６】
工程ＩＩから得たカルボン酸カリウム／キシレン溶液（１１００ｇ）を、機械式撹拌器、還流冷却器、温度計を備えた４リットル丸底四つ口フラスコに乾燥窒素雰囲気下、室温にて投入した後、２５４ｇの混合キシレンを加えた。この混合物に、７６７ｇの１０重量％水性Ｈ２ＳＯ４を撹拌しながら３０分間かけて加えた。この時間中に、反応を６０℃に加熱した。生成物を分離漏斗に移し、約２時間放置して相分離させ、この時点で下記の特性を有する有機相を得た：カルボン酸＝４１．８ｍｇＫＯＨ／ｇ及びサリチル酸指数＝４８．０ｍｇＫＯＨ／ｇ試料、滴定による；５７．５％キシレン、マスバランスによる；水＝３１００ｐｐｍ；Ｋ＝１１６ｐｐｍ。
【０１１７】
次いで、有機相を無水ＭｇＳＯ４上で乾燥し、濾過して、キシレンを真空蒸留によって除去し、最終のＣ２０−Ｃ２８アルキル置換ヒドロキシ芳香族カルボン酸を得た。
【０１１８】
例５
Ｃ１８アルキル置換オルト−キシレンスルホン酸の調製
【０１１９】
Ｃ１８アルキル置換オルト−キシレンスルホン酸の調製は、工程Ｉ−１−オクタデセンを用いるオルト−キシレンのアルキル化によるＣ１８アルキル置換オルト−キシレンの生成及び工程ＩＩ−Ｃ１８アルキル置換オルト−キシレンのスルホン化の２工程を含む。
【０１２０】
工程Ｉ−オルト−キシレンの１−オクタデセンによるアルキル化
【０１２１】
機械式撹拌器、還流冷却器及び温度計を備えた４リットル四つ口ガラス製の丸底フラスコに、１０３８ｇ（９．８モル）のオルト−キシレンに続いて５２．１ｇ（０．３９モル）の固形の三塩化アルミニウムを一度に窒素雰囲気下にて撹拌しながら添加した。この撹拌混合物に、４９２．５ｇ（１．９５モル）の１−オクタデセン（Ｃｈｅｖｒｏｎ  Ｐｈｉｌｌｉｐｓ  ＣＨｅｍｉｃａｌ  Ｃｏｍｐａｎｙから入手）を約３０分間かけて徐々に加えて、反応の温度３８−４４℃に保持した。反応を室温まで冷却し、０．１Ｎ水性ＮａＯＨを加えて反応停止した（反応の温度は５７℃に上昇した）。ガラスフラスコの内容物を分離漏斗に移し、水性層を分離し、有機層を０．１Ｎ水性ＮａＯＨで洗浄した後、８００ｍｌの水で４回洗浄した。有機層を無水ＭｇＳＯ４上で乾燥させ、濾過し、過剰のオルト−キシレンを真空蒸留によって除去し（ロータリーエバポレーター）、約９８．６重量％のモノアルキレートを含む５８７ｇのｎ−Ｃ１８アルキルオルト−キシレンを得たが、１，２，３−アルキル化異性体はＩＲでは検出されなかった。
【０１２２】
工程ＩＩ−Ｃ１８アルキル置換オルト−キシレンのスルホン化
【０１２３】
工程ＩからのＣ１８アルキル置換オルト−キシレンの試料を、ガラス製の水ジャケット付き流下膜式管形反応器（０．６ｃｍＩＤ及び３個の反応器を直列にしたもの、Ｒ１＝３０ｃｍ、Ｒ２＝３０ｃｍ及びＲ３＝７０ｃｍ）中で、ＳＯ３／空気と下記の条件を用いてスルホン化した。
【０１２４】
アルキレート供給温度＝６５℃
【０１２５】
反応器温度＝５５℃
【０１２６】
気流量＝１９２リットル／時
【０１２７】
ＳＯ２流量＝１６リットル／時
【０１２８】
ＳＯ２−ＳＯ３の転換率＝９８％
【０１２９】
アルキレート供給速度＝４．０９ｇ／分
【０１３０】
生成する粗製Ｃ１８アルキル置換オルト−キシレンスルホン酸は、下記の特性を有した：７５．９重量％スルホン酸及び０．１４重量％Ｈ２ＳＯ４。
【０１３１】
例６−１１
液状粗炭化水素組成物の調製
【０１３２】
液状粗炭化水素組成物の形成に用いた超重質原油及び炭化水素含有溶媒の特性を、表１に示す。用いた炭化水素含有溶媒の芳香族含量は、２３．５重量％であった。下表２に示すように、別々の調製物を調製し、例２又は例３のアスファルテン調節剤を最初に炭化水素含有溶媒に室温にて溶解させてブレンドを形成し、これを次に超重質原油に徐々に添加し、室温にて１−３時間振盪した。粘度測定はＡＳＴＭ  Ｄ−４４５を用いて行い、少なくとも２回の測定の平均値として±２％の誤差で記録した。対照実験は、それぞれの例について行い、超重質原油をアスファルテン調節剤の非存在下にて炭化水素含有溶媒に添加し、それらの粘度（括弧内）をそれぞれの液状粗炭化水素組成物の粘度と共に表２に記録した。
【表１】
2014527569.tif 000003
【表２】
2014527569.tif 000004
【０１３３】
例１２
高濃度のアスファルテン調節剤の効果の評価
【０１３４】
アスファルテン調節剤の効果を評価するため、例５に準じて調製した超重質原油／ブレンドの粘度減少を、方程式（１）を用いて計算した。
【数１】
2014527569.tif 000005
（上記式中、Ｖｉｓｂは超重質原油と炭化水素含有溶媒／アスファルテン調節剤ブレンドを含む液状粗炭化水素組成物の４０℃における粘度であり、Ｖｉｓ０はアスファルテン調節剤の非存在下での超重質原油と炭化水素含有溶媒を含む対照試料の４０℃における粘度である。）
【０１３５】
図１から分かるように、超重質原油及び炭化水素含有溶媒／アスファルテン調節剤ブレンドを含む液状粗炭化水素組成物の粘度の減少が、用いた２種類のアスファルテン調節剤で観察された。粘度減少は有意であり、手法の誤差（±２％）を十分に上回る。最大の減少は、２種類のアスファルテン調節剤の最大濃度で起こることが観察された。しかしながら、低濃度（＜０．５重量％又は５０００ｐｐｍ）でも、粘度に有意な減少が見られる（ほぼ１０−１５％）。低濃度での良好な効率が重要であるので、アスファルテン調節剤の幾つかの低濃度での挙動を検討した。
【０１３６】
例１３−１８
低濃度でのアスファルテン調節剤の効果の評価
【０１３７】
表３に示されるように、超重質原油及び炭化水素含有溶媒／アスファルテン調節剤ブレンドを含む液状粗炭化水素組成物の別々の調製物を、例２及び例３で得たアスファルテン調節剤を１００ｐｐｍ、４００ｐｐｍ及び１０００ｐｐｍの濃度で用いたこと以外は例６−１１と実質的に同じ方法で調製した。対照実験も例のそれぞれについて行い、超重質原油をアスファルテン調節剤の非存在下にて炭化水素含有溶媒に加え、それらの粘度（括弧）をそれぞれの液状粗炭化水素組成物の粘度と共に表３に記録する。
【表３】
2014527569.tif 000006
【０１３８】
図２から分かるように、粘度減少が総てのブレンドについて観察された。最高の粘度減少は、最低濃度のアスファルテン調節剤濃度について観察された。これらの結果は特に重要であり、アスファルテン調節剤の添加量が経済的成功の決定における重要な側面であり、低濃度のこれらの調節剤によって示される高活性は、超重質原油の輸送におけるこの経路の可能性を示すからである。
【０１３９】
少量のアスファルテン調節剤を用いて達成された粘度の減少は、全く予想されなかったものである。実際に、得られた結果は、アスファルテン調節剤の濃度が減少すると、その活性が増加すること（粘度減少の増大）を示唆している。それは、アスファルテン調節剤のコロイド挙動の結果と考えられる。低濃度では、これらの化合物は流対中に分散したままであり、アスファルテンと相互作用することによってそれらの会合を防止し、コロイド相互作用を減少させ、その結果粘度を減少させることができる。
【０１４０】
様々な変更を、本明細書に開示された実施態様に対して行うことができることが分かるであろう。従って、上記の記述は限定的なものとは解釈すべきではなく、単なる好ましい実施態様の例示と解釈すべきである。例えば、上記され且つ本発明を操作するための最善の様式として実行される機能は、単に例示目的のためである。他の配置及び方法は、当業者によって発明の範囲及び精神から離反することなしに行うことができる。更に、当業者であれば、添付の特許請求の範囲の範囲及び精神の内で他の変更を想像されるであろう。
【図１】
2014527569.tif 000007
【図２】
2014527569.tif 000008
【国際調査報告】
2014527569.tif 000009
2014527569.tif 000010
2014527569.tif 000011
2014527569.tif 000012